(57)【要約】【課題】  例えば輸送時や取り扱い時等に、輸液バッグが動いて袋体のフィルムに衝突しても、袋体のフィルムにピンホールが生じにくく、薬液の変質を防止することができる輸液バッグ包装体を提供する。【解決手段】  重ね合わせたガスバリアー性を有するフィルム４の外周縁部を輸液バッグＸを収納するための収納口７を形成するようにヒートシールした外縁シール部５が形成されている袋体２に輸液バッグＸが収納されると共に収納口７が封止されている輸液バッグ包装体１において、外縁シール部５で囲まれる領域に弱シール部６が形成されていることを特徴とする。【選択図】図１
2007082604.tif 000002
【特許請求の範囲】
【請求項１】
重ね合わせたガスバリアー性を有するフィルムの外周縁部を輸液バッグを収納するための収納口を形成するようにヒートシールした外縁シール部が形成されている袋体に輸液バッグが収納されると共に収納口が封止されている輸液バッグ包装体において、外縁シール部で囲まれる領域に弱シール部が形成されていることを特徴とする輸液バッグ包装体。
【請求項２】
請求項１に記載の輸液バッグ包装体を製造する方法であって、外縁シール部で囲まれる領域に弱シール部が形成された輸液バッグ包装袋に収納口から輸液バッグを収納する収納工程と、収納口を封止する封止工程とを備えることを特徴とする輸液バッグ包装体の製造方法。
【請求項３】
請求項１に記載の輸液バッグ包装体を製造する方法であって、外縁シール部を有する袋材に収納口から輸液バッグを収納する収納工程と、収納工程の後に袋材に弱シール部を形成する弱シール工程と、収納工程の後に収納口を封止する封止工程とを備えることを特徴とする輸液バッグ包装体の製造方法。
【請求項４】
重ね合わせたガスバリアー性を有するフィルムの外周縁部を輸液バッグを収納するための収納口を形成するようにヒートシールした外縁シール部が形成された輸液バッグ包装袋において、外縁シール部で囲まれる領域に弱シール部が形成されていることを特徴とする輸液バッグ包装袋。
【発明の詳細な説明】
【技術分野】
【０００１】
本発明は、医療用の薬液が封入された輸液バッグを収納した輸液バッグ包装体、そのような輸液バッグ包装体の製造方法、及び輸液バッグを収納するための輸液バッグ包装袋に関する。
【背景技術】
【０００２】
従来、輸液に使用される医療用の薬液を封入する容器としては、軽量で破損の虞がなく、また、輸送や保管等が便利であることから、プラスチックからなる軟質の輸液バッグが用いられている。この輸液バッグの材質としては、法規制等によって、ポリエチレン（ＰＥ）、ポリプロピレン（ＰＰ）、ポリ塩化ビニル（ＰＶＣ）等が用いられている。
【０００３】
しかし、これらの材質からなる輸液バッグにおいては、高度なガスバリアー性（酸素バリアー性）を保証し難く、特定の薬液（例えばアミノ酸）を封入している場合には、薬液が酸素等に触れて変質してしまうことがある。そこで、重ね合わせたガスバリアー性を有するフィルムの外周縁部を、輸液バッグを収納するための収納口を形成するように、ヒートシールした外縁シール部が形成されている袋体に、輸液バッグを収納して収納口を封止して輸液バッグ包装体とし、袋体の内部を気密状態にして、薬液が酸素等に触れないようにすることで薬液の変質防止を図っている（下記特許文献１参照）。
【特許文献１】特開２００５−００７０５３号公報
【発明の開示】
【発明が解決しようとする課題】
【０００４】
しかしながら、上記従来の輸液バッグ包装体にあっては、輸液バッグを収納する際の作業性等を考慮して、袋体が輸液バッグの大きさに対して大きく製袋されて構成されている。このため、例えば輸送時や取り扱い時等に、振動等によって袋体の内部で輸液バッグが動いて袋体を構成するフィルムに衝突することがある。袋体は、その気密性を維持すべく外周縁部を強固にヒートシールして外縁シール部を形成しているので、輸液バッグがフィルムに衝突すると、その衝撃は吸収されずに直接伝わり、フィルムに集中的な衝撃が加わることとなる。その結果、衝撃が加わった部分にピンホールが生じてしまうことがある。
【０００５】
また、輸液バッグが袋体のフィルムに衝突するとフィルムに引張り力が作用して、その際に大きな曲げ応力が集中して作用することがある。これにより、フィルムが屈曲してしまい、屈曲した部分が外部と擦れるなどしてピンホールが生じることもある。
【０００６】
更に、輸液バッグがフィルムの同じ部分に反復して何度も衝突することにより、その部分が反復繰り返される衝撃や屈曲等の作用によって疲労し、ピンホールが生じることもある。
【０００７】
何れにしても、袋体のフィルムにピンホールが生じると、輸液バッグ包装体の外部からピンホールを通って袋体に空気（酸素）が流入し、袋体の気密性が維持できないこととなり、その結果、薬液が変質してしまうこととなる。
【０００８】
そこで、本発明は、上記従来の問題に鑑みてなされ、例えば輸送時や取り扱い時等に、輸液バッグが動いて袋体のフィルムに衝突しても、袋体のフィルムにピンホールが生じにくく、薬液の変質を防止することができる輸液バッグ包装体、輸液バッグ包装体の製造方法、及び輸液バッグ包装袋を提供することを課題とする。
【課題を解決するための手段】
【０００９】
本発明は、上記課題を解決すべくなされたものであり、本発明に係る輸液バッグ包装体は、重ね合わせたガスバリアー性を有するフィルムの外周縁部を輸液バッグを収納するための収納口を形成するようにヒートシールした外縁シール部が形成されている袋体に輸液バッグが収納されると共に収納口が封止されている輸液バッグ包装体において、外縁シール部で囲まれる領域に弱シール部が形成されていることを特徴とする。
【００１０】
該構成の輸液バッグ包装体にあっては、弱シール部は、剥がれ易くなっている。よって、例えば輸送時や取り扱い時等に、袋体に収納された輸液バッグが、弱シール部が設けられている方へ動いて袋体を形成するフィルムに衝突すると、フィルムに引張り力が作用する。そうすると、その引張り力によって弱シール部は剥がれて、輸液バッグが衝突した際の衝撃を吸収することができる。
【００１１】
また、収納されている輸液バッグが弱シール部が設けられている方へ動いてフィルムに衝突すると、フィルムには引張り力が作用するので弱シール部は剥がれる。弱シール部が剥がれると、フィルムに作用する引張り力が緩和されて小さくなるので、フィルムに作用する曲げ応力が小さくなる。このためフィルムは屈曲しにくくなる。
【００１２】
更に、輸液バッグが袋体のフィルムに反復して何度も衝突したとしても、その衝撃が加わる度にフィルムに作用する引張り力によって弱シール部が少しずつ剥がれる。そうすると、輸液バッグがフィルムに衝突する位置が衝突の度にずれることとなるので、衝撃が加わる位置が分散されることとなる。よって、フィルムは、同じ部分に反復繰り返して衝撃が加えられたり、同じ部分が何度も屈曲したりしなくなるので疲労しにくくなる。
【００１３】
また、本発明に係る輸液バッグ包装体を製造する方法は、外縁シール部で囲まれる領域に弱シール部が形成された輸液バッグ包装袋に収納口から輸液バッグを収納する収納工程と、収納口を封止する封止工程とを備えることを特徴とする。
【００１４】
該製造方法で輸液バッグ包装体を製造すると、上述した構成の輸液バッグ包装体を得ることができるので、上記作用が得られる。加えて、収納工程において、弱シール部を予め備える輸液バッグ包装袋に輸液バッグを収納するので、輸液バッグを収納する際に、輸液バッグがフィルムに衝突して衝撃が加わっても、弱シール部が剥がれてその衝撃を吸収することができる。
【００１５】
また、本発明に係る輸液バッグ包装体を製造する方法は、外縁シール部を有する袋材に収納口から輸液バッグを収納する収納工程と、収納工程の後に弱シール部を形成する弱シール工程と、収納工程の後に収納口を封止する封止工程とを備えることを特徴とする。
【００１６】
該製造方法で輸液バッグ包装体を製造すると、上述した構成の輸液バッグ包装体を得ることができるので、上記作用が得られる。加えて、収納工程の後に弱シール部を形成するので、外縁シール部で囲まれる領域のうち、収納されている輸液バッグよりも収納口側の領域に弱シール部を形成することができる。よって、輸液バッグが収納口の方向に動いて、フィルムに衝突して衝撃が加わっても、その衝撃を吸収することができる。
【００１７】
また、本発明に係る輸液バッグ包装袋は、重ね合わせたガスバリアー性を有するフィルムの外周縁部を輸液バッグを収納するための収納口を形成するようにヒートシールした外縁シール部が形成された輸液バッグ包装袋において、外縁シール部で囲まれる領域に弱シール部が形成されていることを特徴とする。
【発明の効果】
【００１８】
このように、本発明に係る輸液バッグ包装体にあっては、外縁シール部で囲まれる領域に弱シール部が形成されているので、例えば輸送時や取り扱い時等に、輸液バッグが動いて袋体のフィルムに衝突しても、弱シール部が剥がれて衝撃を吸収したり曲げ応力を小さくしたりすることができ、また、反復して繰り返される衝突の位置をずらすことができる。従って、袋体のフィルムにピンホールが生じにくくなり、袋体の気密性を維持することができ、薬液の変質を防止することができるという効果を奏する。
【００１９】
また、本発明の請求項２に係る輸液バッグ包装体の製造方法にあっては、外縁シール部で囲まれる領域に弱シール部が形成された輸液バッグ包装袋に収納口から輸液バッグを収納する収納工程を備えるので、製造された輸液バッグ包装体は、上記効果を奏する。加えて、輸液バッグを収納する際にも、その衝撃を吸収することができるので、輸液バッグ包装体の製造時にピンホールが生じるのを抑制することができる。
【００２０】
また、本発明の請求項３に係る輸液バッグ包装体の製造方法にあっては、収納工程の後に弱シール部を形成する弱シール工程を備えるので、製造された輸液バッグ包装体には、外縁シール部で囲まれる領域に弱シール部が形成される。よって、製造された輸液バッグ包装体は、上記効果を奏する。加えて、収納されている輸液バッグよりも収納口側の領域に弱シール部を形成することができるので、輸液バッグが収納口の方向に動いた際の衝撃を吸収することができる。従って、ピンホールが生じるのをより確実に抑制することができる。
【００２１】
また、本発明に係る輸液バッグ包装袋は、外縁シール部で囲まれる領域に弱シール部が形成されている。よって、収納口から輸液バッグを収納した後に、収納口を封止しして袋体を形成すると共に袋体に輸液バッグが収納された輸液バッグ包装体を形成して、その輸液バッグ包装体を輸送したり取り扱ったりしたとき等に、輸液バッグが動いて袋体のフィルムに衝突しても、弱シール部が剥がれて衝撃を吸収したり曲げ応力を小さくしたりすることができ、また、反復して繰り返される衝突の位置をずらすことができる。従って、袋体のフィルムにピンホールが生じにくくなり、袋体の気密性を維持することができ、薬液の変質を防止することができるという効果を奏する。
【発明を実施するための最良の形態】
【００２２】
以下、本発明に係る輸液バッグ包装体の第一実施形態について図面を参酌しつつ説明する。
図１に、本実施形態における輸液バッグ包装体１が示されている。該輸液バッグ包装体１は、袋体２と袋体２に収納された輸液バッグＸとで構成されている。
【００２３】
袋体２は、図２に示すように、輸液バッグＸを収納するための収納口７となるよう頂部が開口した袋状の輸液バッグ包装袋３の頂部の開口を封止して形成されている。
【００２４】
輸液バッグ包装袋３は、前後に重ね合わせた２枚のフィルム４と、収納口７を形成するようにフィルム４の外周縁部をヒートシールして形成された外縁シール部５と、外縁シール部５で囲まれる領域に剥離強度が弱くなるようにフィルム４をヒートシールして形成された弱シール部６とを備える。輸液バッグ包装袋３は、その頂部が開口した袋状である。
【００２５】
フィルム４は、外面フィルム層、ガスバリアー性層と熱融着性樹脂層等が積層された上下方向に長い略長方形状のガスバリアー性フィルムであり、本実施形態では、前後のフィルム４，４それぞれの熱融着性樹脂層を互いに向かい合わせて２枚重ねとなっている。尚、１枚のフィルム４を折り曲げるなどして重ね合わせてもよい。外面フィルム層としては、二軸延伸ポリエステルフィルム、二軸延伸ポリプロピレンフィルム、二軸延伸ポリアミドフィルム等が使用できる。また、ガスバリアー性層としては、エチレンビニルアルコール共重合体等のガスバリアー性樹脂や、シリカやアルミナ等を蒸着したフィルム等が使用できる。また、熱融着性樹脂層としては、直鎖状低密度ポリエチレンやポリプロピレン等が使用できる。要するに、フィルム４としては、公知のバリアー包装用フィルムが使用できる。
【００２６】
外縁シール部５は、重ね合わせたフィルム４，４の左右両側部４ａ，４ａをそれぞれヒートシールして形成された一対の側縁シール部５１と、側縁シール部５１の下端から斜め下方に向けてヒートシールして形成された左右一対の傾斜シール部５２と、左右両傾斜シール部５２のそれぞれの下端を結ぶようにヒートシールして形成された底縁シール部５３とで構成されている。側縁シール部５１と傾斜シール部５２と底縁シール部５３とは、それぞれ一定幅の帯状で直線状に形成されており、互いにほぼ同じ幅となっている。
【００２７】
側縁シール部５１は、重ね合わせたフィルム４の側縁４１に接するように左右に一対それぞれ形成されており、フィルム４の頂縁４２から下方に伸びている。傾斜シール部５２は、左右に一対形成されており、左右両側縁シール部５１のそれぞれの下端から斜め下方に伸びるように形成されている。左右両傾斜シール部５２は、下方ほど互いに内側に接近するように形成されている。つまり、傾斜シール部５２は、上端がフィルム４の側縁４１に接し、下端側ほどフィルム４の側縁４１から離間するように傾斜しており、下端がフィルム４の底縁４３に接するように形成されている。底縁シール部５３は、左右両傾斜シール部５２の下端同士を結び、且つ、重ね合わせたフィルム４の底縁４３に接するように形成されている。
【００２８】
このように、外縁シール部５は、側縁シール部５１と傾斜シール部５２と底縁シール部５３とが連続的に一体として形成されることにより、上方へ向けて開口した略コの字状の形状となっている。
【００２９】
外縁シール部５で囲まれる領域には、フィルム４をヒートシールした弱シール部６が形成されている。具体的には、弱シール部６は、外縁シール部５の略コの字形状の内縁５ａ略全域に接し、外縁シール部５の幅とほぼ同じ幅で形成された略コの字状の形状となっている。より具体的には、弱シール部６は、左右両側縁シール部５１のそれぞれの内縁５１ａ略全域に亘って接するように形成された左右一対の第一シール部６１と、左右両傾斜シール部５２のそれぞれの内縁５２ａ略全域に亘って接するように形成された左右一対の第二シール部６２と、底縁シール部５３の内縁５３ａ略全域に亘って接するように形成された第三シール部６３とで構成されている。
【００３０】
弱シール部６は、第一シール部６１と第二シール部６２と第三シール部６３とが連続的に一体となって形成されている。弱シール部６を形成する各シール部６１，６２，６３は、それぞれ一定幅の帯状に形成されており、その幅は、互いにほぼ同じ幅であって、外縁シール部５を形成する各シール部５１，５２，５３の幅とそれぞれほぼ同じ幅となっている。つまり、弱シール部６は、上方に向けて開口した略コの字状に形成されており、外縁シール部５の内側に隣接している。従って、外縁シール部５と弱シール部６との間には隙間は形成されていない。
【００３１】
また、弱シール部６は、剥離強度が弱くなるようにヒートシールして形成されている。具体的には、弱シール部６は、弱くヒートシールして形成されており、剥離強度が弱く、剥がれ易くなっている。尚、弱シール部６の剥離強度としては、例えば、１乃至２０Ｎ/１５ｍｍ程度（ＪＩＳ  Ｚ  ０２３８に準じて測定した１８０°剥離強度）であり、本実施形態では、弱シール部６は、均一な剥離強度となるように形成されている。
【００３２】
このように、輸液バッグ包装袋３は、重ね合わせたフィルム４の左右両側部４ａから底部４ｂにかけてヒートシールして形成された外縁シール部５と、外縁シール部５の内側に隣接して剥離強度が弱くなるようにヒートシールして形成された弱シール部６とを備える袋状であり、その頂部４ｃは、輸液バッグＸを収納するための収納口７となるよう開口している。そして、頂部４ｃの開口をヒートシールして封止用シール部８を形成し、頂部の開口を封止すると、図１に示すような袋体２が得られる。具体的には、輸液バッグ包装袋３の外縁シール部５を形成する左右両側縁シール部５１のそれぞれの上端同士を結ぶようにヒートシールして封止用シール部８は形成されている。封止用シール部８は、重ね合わせたフィルム４の頂縁４２に接するように形成さており、外縁シール部５とほぼ同じ幅で帯状に形成されている。
【００３３】
こうして、外縁シール部５と封止用シール部８とが連続的に一体となって形成されることにより、フィルム４の外周縁部の略全周がヒートシールされた袋体２が得られる。尚、外縁シール部５を形成する各シール部５１，５２，５３と封止用シール部８とは、袋体２内部の気密性を維持するため、それぞれ剥離強度が強くなるように形成されている。つまり、外縁シール部５と封止用シール部８とは、容易に剥がれてしまわないように、強くヒートシールされており、剥離強度が強くなるように形成されている。
【００３４】
一方、袋体２に収納されている輸液バッグＸは、図３に示すように、チューブ状のフィルムからなるバッグ本体Ｘ１とチューブ状フィルムの間に挟んでヒートシールすることによりバッグ本体Ｘ１と一体化された薬液の注出具等を接続するための口栓Ｘ２とで構成されている。バッグ本体Ｘ１は、ポリエチレン系樹脂をインフレーション法によってチューブ状に形成してなる。口栓Ｘ２は、バッグ本体Ｘ１の頂部と底部との２箇所に一対設けられている。尚、バッグ本体Ｘ１の頂部又は底部の一方には、輸液バッグＸを反対姿勢で吊り下げるための吊り手部を設けることもある。
【００３５】
また、輸液バッグＸには、バッグ本体Ｘ１の頂部と底部との略中間位置に剥離シール部ＸＳが形成されている。剥離シール部ＸＳは、バッグ本体Ｘ１の内部空間を頂部側と底部側とに仕切っており、剥離可能となるように剥離強度が弱く形成されている。そして、例えば剥離シール部ＸＳによって仕切られた一方の内部空間には、アミノ酸含有の薬剤が封入され、他方の内部空間には、生理食塩水が封入されるようになっている。
【００３６】
このような輸液バッグＸを剥離シール部ＸＳで折り曲げて、折り曲げた輸液バッグＸを剥離シール部ＸＳが下方となるようにして輸液バッグ包装袋３の収納口７から収納し、収納口７をヒートシールして封止用シール部８を形成し、頂部の開口を封止すると、図１に示すような輸液バッグＸが袋体２に収納されている輸液バッグ包装体１が形成される。尚、輸液バッグＸは、このような２液タイプに限らず、様々なものがある。
【００３７】
次に、上記のような構成の輸液バッグ包装体１の製造方法について説明する。
本実施形態に係る輸液バッグ包装体１の製造方法においては、弱シール部６は、輸液バッグＸを輸液バッグ包装袋３に収納する前に形成される。具体的には、まず、図４に示すように、ガスバリアー性を有するフィルム帯９を上下に一対設けられたロール９１からそれぞれ繰り出す。そして、繰り出したフィルム帯９を上下に重ね合わせ、重ね合わせたフィルム帯９の両側縁部をヒートシールして側縁シール部５１及び第一シール部６１をそれぞれ形成する。続いて、フィルム帯９の長手方向に間隔を明けて複数箇所を幅方向に各々ヒートシールして、傾斜シール部５２、底縁シール部５３、第二シール部６２、及び第三シール部６３を一体的に形成する。このとき、側縁シール部５１と傾斜シール部５２、及び第一シール部６１と第二シール部６２とがそれぞれ連続した形状となるようにヒートシールする。
【００３８】
こうして、側縁シール部５１と傾斜シール部５２と底縁シール部５３とが連続的に一体となった外縁シール部５が形成されると共に、外縁シール部５から内側に延設するように、第一シール部６１と第二シール部６２と第三シール部６３とが連続的に一体となった弱シール部６が形成される。
【００３９】
ここで、各シール部を形成するためのヒートシールバーについて説明する。各シール部を形成するためのヒートシールバー１０，１１は、それぞれ上下に一対設けられている。側縁シール部５１及び第一シール部６１を形成するためのヒートシールバー１０は、フィルム帯９の長手方向に伸びる略直方体の形状である。傾斜シール部５２、底縁シール部５３、第二シール部６２、及び第三シール部６３を一体的に形成するためのヒートシールバー１１は、フィルム帯９の幅方向に伸びる略直方体状の部分と、その両端からフィルム帯９の繰り出し方向（長手方向）に対し斜め上流側へ向けて延設され且つ先端がフィルム帯９の側縁に接するように構成されている略直方体状の部分とが一体となった形状である。
【００４０】
側縁シール部５１及び第一シール部６１を形成するためのヒートシールバー１０は、図５に示すように、フィルム帯９に当接する当接面１０ａが略平坦面状である外側部分１０１と、フィルム帯９に当接する当接面１０ｂが凹凸形状である内側部分１０２とで構成されている。外側部分１０１は、側縁シール部５１を形成するための部分であり、内側部分１０２は、第一シール部６１を形成するための部分である。
【００４１】
内側部分１０２は、先端が細くなった凸部分１０２ａを多数備える。この凸部分１０２ａ（例えば、フィルム帯９に当接する先端の面積が０．２乃至２．０ｍｍ2）は、ヒートシールバー１０の幅方向及び長手方向に複数個並んで（例えば、マトリックス状や千鳥状等）形成されている。これにより、内側部分１０２の当接面１０ｂは凹凸形状となる。この凸部分１０２ａは、上下のヒートシールバー１０，１０で対応した位置となるように設けられており、その先端でフィルム帯９を挟み込んでヒートシールする。外側部分１０１の平坦面状の当接面１０ａと内側部分１０２の凸部分１０２ａの先端とは略面一となっている。尚、外側部分１０１の当接面１０ａが内側部分１０２の凸部分１０２ａの先端よりもフィルム帯９に対して僅かに突出していてもよい。また、傾斜シール部５２、底縁シール部５３、第二シール部６２、及び第三シール部６３を一体的に形成するためのヒートシールバー１１については、側縁シール部５１及び第一シール部６１を形成するためのヒートシールバー１０と同様の断面形状である。
【００４２】
このような構成のヒートシールバー１０，１１を用いてフィルム帯９をヒートシールすると、外側部分１０１ではフィルム帯９は外側部分１０１の当接面１０ａ全域でヒートシールされる。当接面１０ａ全域でヒートシールすると、シール面積は大きくなるので、強くシールすることができ、剥離強度が強い側縁シール部５１、傾斜シール部５２、及び底縁シール部５３を形成することができる。一方、内側部分１０２では凸部分１０２ａの先端のみがフィルム帯９に当接するので点状にヒートシールされる。点状にヒートシールすると、シール面積は小さく（例えば、全体の３％乃至３０％程度）なるので、弱くシールすることとなり、外縁シール部５よりも剥離強度が弱い第一シール部６１、第二シール部６２、及び第三シール部６３を形成することができる。
【００４３】
このように重ね合わせたフィルム帯９をヒートシールして、外縁シール部５で囲まれる領域に予め弱シール部６を形成した輸液バッグ包装袋３が、上下方向に複数枚連なった連続体を形成する。その後、連続体を裁断線Ｌに沿って幅方向に裁断して、図２に示すような頂部４ｃが開口した輸液バッグ包装袋３を得る。そして、剥離シール部ＸＳにて上下に折り畳んだ輸液バッグＸを、折り畳んだ部分が下方となるような向きで、輸液バッグ包装袋３の収納口７から収納する（収納工程）。そして、輸液バッグ包装袋３の収納口７をヒートシールして封止用シール部８を形成し、頂部の開口を封止する（封止工程）。こうして外周縁部全周が封止された袋体２に輸液バッグＸが収納された輸液バッグ包装体１が製造される。尚、輸液バッグ包装体１の内部雰囲気は、窒素ガス等による置換処理が施されると共に、脱酸素剤を封入して、略無酸素状態に維持される。
【００４４】
このようにして製造された輸液バッグ包装体１は、図１に示すように、輸液バッグＸが弱シール部６で囲まれる領域に収納されて構成されている。言い換えると、弱シール部６は、外縁シール部５と輸液バッグＸとの間の領域に形成されている。
【００４５】
そして、輸液バッグＸを使用する際には、袋体２が封止用シール部８の下側で一方の側縁シール部５１に設けられたノッチＮから幅方向に開封されて、そこから輸液バッグＸが取出される。そして、輸液バッグＸのバッグ本体Ｘ１に封入されている２液を混合して使用する。具体的には、バッグ本体Ｘ１に外圧をかけると、バッグ本体Ｘ１の内圧が増加する。そうすると、剥離シール部ＸＳは剥離強度が弱く形成されているので剥がれて、頂部側と底部側とに仕切っていた内部空間が連通する。これにより頂部側と底部側とに分けて封入していた２液が混合し、使用に供することができることとなる。
【００４６】
続いて、本発明に係る輸液バッグ包装体１の第二実施形態について説明する。尚、上記第一実施形態と同一又は相当する構成については、同一名称及び同一符号を付すこととし、同一の構成については説明を割愛し、相違する点についてのみ説明する。
本実施形態におけるフィルム４、外縁シール部５、封止用シール部８、及び輸液バッグＸについては、第一実施形態の場合と同一の構成であるため説明を割愛する。
【００４７】
本実施形態に係る輸液バッグ包装体１の袋体２に形成されている弱シール部６は、図６に示すように、外縁シール部５で囲まれる領域に形成されている。具体的には、弱シール部６は、略円形状となるように合計６箇所形成されている。即ち、弱シール部６は、バッグ本体Ｘ１と封止用シール部８との間の領域であって口栓Ｘ２の左右両側に一対（２箇所）形成されており、一方の側縁シール部５１とバッグ本体Ｘ１との間の領域に上下に２箇所形成されており、更に、他方の側縁シール部５１とバッグ本体Ｘ１との間の領域にも上下に２箇所設けられている。輸液バッグＸと封止用シール部８との間の領域に形成されている弱シール部６は、封止用シール部８から下方に離間しており、一対の口栓Ｘ２，Ｘ２のうち、輸液バッグＸを折り曲げた状態で上方側に位置し、バッグ本体Ｘ１と重なっていない方の口栓Ｘ２の左右両側に一対形成されている。側縁シール部５１とバッグ本体Ｘ１との間の領域に形成されている弱シール部６は、側縁シール部５１から内側に離間するように形成されており、上下に離れて並ぶように２箇所形成されている。また、弱シール部６は、略円形状の領域内を点状にヒートシールして形成されている。
【００４８】
次に、本実施形態に係る輸液バッグ包装体１の製造方法について説明する。
本実施形態に係る輸液バッグ包装体１の製造方法においては、外縁シール部５を有する袋材１２に、輸液バッグＸを収納（収納工程）した後に、弱シール部６が形成される。具体的には、まず、ガスバリアー性を有するフィルム帯９を上下に一対設けられたロール９１からそれぞれ繰り出して、上下に重ね合わせる。そして、重ね合わせたフィルム帯９の両側部をヒートシールして側縁シール部５１を形成する。続いて、フィルム帯９の長手方向に間隔を明けて複数箇所を幅方向に各々ヒートシールして、傾斜シール部５２及び底縁シール部５３を一体的に形成する。このとき、側縁シール部５１と傾斜シール部５２とがそれぞれ連続した形状となるようにヒートシールする。
【００４９】
こうして、側縁シール部５１と傾斜シール部５２と底縁シール部５３とが連続的に一体となった外縁シール部５が形成された袋材１２が、上下方向に複数枚連なった連続体を形成する。尚、外縁シール部５を形成するためのヒートシールバーとしては、従来のヒートシールバーと同様の形状のヒートシールバーを用いることができる。つまり、外縁シール部５を形成するためのヒートシールバーは、フィルム帯９に当接する当接面が略平坦面となっている。
【００５０】
その後、袋材１２が連なった連続体を幅方向に裁断して、図７に示すような外縁シール部５が形成された袋材１２を製袋する。つまり、両側部１２ａから底部１２ｂにかけて連続的にヒートシールして外縁シール部５が形成され、収納口７となるように頂部１２ｃが開口した袋材１２を得る。ちなみに、袋材１２には、弱シール部６は形成されていない。そして、剥離シール部ＸＳにて折り畳んだ状態の輸液バッグＸを、折り畳んだ部分が下方となるような向きで、袋材１２の頂部の収納口７から収納する（収納工程）。そして、外縁シール部５で囲まれる領域に弱シール部６を形成（弱シール工程）すると共に、袋材１２の収納口７をヒートシールして封止用シール部８を形成し、袋材１２の頂部１２ｃの開口を封止（封止工程）し、図６に示すような外周縁部の全周が封止された袋体２に輸液バッグＸが収納されている輸液バッグ包装体１が製造される。尚、弱シール部６を形成するためのヒートシールバーとしては、フィルム４に当接する当接面が、凹凸形状となっており、第一実施形態における内側部分１０２の当接面１０ｂと同様の形状であるものを用いることができる。具体的には、ヒートシールバーは、先端が細くなっている凸部分を、その先端がフィルム４に向けて突起するような向きで、ヒートシールバーの幅方向及び長手方向に複数個並んで（例えば、マトリックス状や千鳥状等）形成されている。これにより、ヒートシールバーの当接面は凹凸形状となる。
【００５１】
このようにして製造された輸液バッグ包装体１は、図６に示すように、外縁シール部５で囲まれる領域に弱シール部６が形成されている。具体的には、弱シール部６は、バッグ本体Ｘ１と封止用シール部８との間の領域であって口栓Ｘ２の左右両側に一対形成されており、更に、左右両側縁シール部５１とバッグ本体Ｘ１との間のそれぞれの領域に形成されている。
【００５２】
そして、輸液バッグＸを使用する際には、袋体２を封止用シール部８と口栓Ｘ２の左右両側に設けられた弱シール部６との間であって、一方の側縁シール部５１に設けられたノッチから幅方向に開封されて、弱シール部を剥離し、そこから輸液バッグＸが取出される。そして、輸液バッグＸのバッグ本体Ｘ１に封入されている２液を混合して使用する。
【００５３】
以上の第一実施形態及び第二実施形態の構成からなる輸液バッグ包装体１にあっては、弱シール部６は、剥離強度が弱くなっているので、剥がれ易い。よって、例えば輸送時や取り扱い時等に、袋体２に収納された輸液バッグＸが、弱シール部６が設けられている方へ動いて袋体２を形成するフィルム４に衝突し、前後のフィルム４，４が輸液バッグＸの厚みに応じて前後に離間するように広げられると、フィルム４に引張り力が作用する。そうすると、その引張り力によって弱シール部６は剥がれて、輸液バッグＸが衝突した際の衝撃を吸収することができる。従って、袋体２のフィルム４にピンホールが生じにくくなり、袋体２の気密性を維持することができ、薬液の変質を防止することができる。
【００５４】
また、収納されている輸液バッグＸが弱シール部６が設けられている方へ動いてフィルム４に衝突すると、フィルム４には前後に離間するように広げられることによる引張り力が作用するので弱シール部６は剥がれる。弱シール部６が剥がれると、フィルム４に作用する引張り力が緩和されて小さくなるので、フィルム４に作用する曲げ応力が小さくなる。このためフィルム４は屈曲しにくくなる。従って、袋体２のフィルム４にピンホールが生じにくくなり、袋体２の気密性を維持することができ、薬液の変質を防止することができる。
【００５５】
更に、輸液バッグＸが袋体２のフィルム４に反復して何度も衝突したとしても、その衝撃が加わる度に、フィルム４には前後に離間するように広げられることによる引張り力が作用するので、弱シール部６は少しずつ剥がれる。そうすると、輸液バッグＸがフィルム４に衝突する位置が衝突の度にずれることとなるので、衝撃が加わる位置が分散されることとなる。よって、輸液バッグＸがフィルム４の同じ部分に反復繰り返して衝突してフィルム４が疲労したり、同じ部分に曲げ応力が作用して何度も屈曲して疲労したりしなくなるので、袋体２のフィルム４に疲労によるピンホールが生じにくくなり、袋体２の気密性を維持することができ、薬液の変質を防止することができる。
【００５６】
また、第二実施形態に係る輸液バッグ包装体１にあっては、封止用シール部８とバッグ本体Ｘ１との間の領域であって口栓Ｘ２の左右両側に一対弱シール部６が形成されている。よって、弱シール部６が形成されている領域では、前後のフィルム４，４は、互いに密着している。そうすると、輸液バッグＸの上下左右方向への動きを抑制することができ、通常バッグ本体Ｘ１よりも厚く、硬さを有する口栓Ｘ２のフィルム４（内面）との摩擦を防ぎ、輸液バッグＸの衝突によるフィルム４への衝撃や屈曲等が生じるのを抑制することができる。従って、効果的にフィルム４にピンホールが生じるのを抑制することができる。
【００５７】
また、第一実施形態に係る輸液バッグ包装体１の製造方法にあっては、弱シール部６を備える輸液バッグ包装袋３に収納口７から輸液バッグＸを収納する工程（収納工程）を備える。よって、製造された輸液バッグ包装体１には、外縁シール部５の内縁５ａ略全域に亘って接するように弱シール部６が形成されている。従って、例えば輸送時や取り扱い時等に、輸液バッグＸが動いて袋体２のフィルム４に衝突しても、フィルム４に作用する引張り力により弱シール部６が剥がれる。故に、フィルム４に対する衝撃を吸収したり、フィルム４に作用する曲げ応力を小さくしたりすることができ、また、反復して繰り返されるフィルム４に対する衝突の位置をずらすことができる。
【００５８】
更に、第一実施形態に係る輸液バッグ包装体１の製造方法にあっては、予め弱シール部６を備えた輸液バッグ包装袋３に輸液バッグＸを収納するので、輸液バッグＸを収納する際に、輸液バッグＸが輸液バッグ包装袋３を形成するフィルム４に衝突して衝撃が加わっても、フィルム４に作用する引張り力によって、弱シール部６が剥がれて、衝突による衝撃を吸収することができる。従って、輸液バッグ包装体１の製造時にピンホールが生じるのを抑制することができる。
【００５９】
また、第二実施形態に係る輸液バッグ包装体１の製造方法にあっては、外縁シール部５を備える袋材１２に輸液バッグＸを収納した（収納工程）後に、弱シール部６を形成する（弱シール工程）。よって、製造された輸液バッグ包装体１には、外縁シール部５で囲まれる領域に弱シール部６が形成されている。従って、例えば輸送時や取り扱い時等に、輸液バッグＸが動いて袋体２のフィルム４に衝突しても、フィルム４に作用する引張り力により弱シール部６が剥がれる。故に、フィルム４に対する衝撃を吸収したり、フィルム４に作用する曲げ応力を小さくしたりすることができ、また、反復して繰り返されるフィルム４に対する衝突の位置をずらすことができる。従って、袋体２のフィルム４にピンホールが生じにくくなり、袋体２の気密性を維持することができ、薬液の変質を防止することができる。
【００６０】
更に、第二実施形態に係る輸液バッグ包装体１の製造方法にあっては、外縁シール部５を備える袋材１２に輸液バッグＸを収納した（収納工程）後に、弱シール部６を形成する（弱シール工程）ので、封止用シール部８とバッグ本体Ｘ１との間の領域に弱シール部６を形成することができる。よって、輸液バッグＸが収納口７の方向に動いてフィルム４に衝突した場合に、その衝撃を吸収することができ、ピンホールが生じるのをより確実に抑制することができる。
【００６１】
また、第一実施形態に係る輸液バッグ包装袋３にあっては、外縁シール部５の内縁５ａ略全域に亘って接するように弱シール部６が形成されている。よって、収納口７から輸液バッグＸを収納した後に、収納口７をヒートシールして封止用シール部８を形成し、収納口７を封止しして袋体２に輸液バッグＸが収納された輸液バッグ包装体１を形成して、その輸液バッグ包装体１を輸送したり取り扱ったりした時等に、輸液バッグＸが動いて袋体２のフィルム４に衝突しても、フィルム４に作用する引張り力によって、弱シール部６が剥がれる。よって、フィルム４に対する衝撃を吸収したり、フィルム４に作用する曲げ応力を小さくしたりすることができる。また、反復して繰り返されるフィルム４に対する衝突の位置をずらすことができる。従って、袋体２のフィルム４にピンホールが生じにくくなり、袋体２の気密性を維持することができ、薬液の変質を防止することができる。
【００６２】
尚、第一実施形態及び第二実施形態では、弱シール部６は、均一な剥離強度となるように形成された場合について説明したが、これに限られず、外縁シール部５で囲まれる領域に、剥離強度が異なる複数の弱シール部が形成された場合、例えば、外縁シール部５から内側へ向けて段階的に剥離強度が弱くなるように複数の弱シール部を形成した場合であってもよい。具体的には、図８に示すように、外縁シール部５の内側に隣接して第一弱シール部１３が形成されている。更に、第一弱シール部１３の内側に隣接するように第二弱シール部１４が形成されている。第一弱シール部１３及び第二弱シール部１４は、外縁シール部５に比して剥離強度が弱くなるように形成されており、しかも、第二弱シール部１４は、第一弱シール部１３に比して剥離強度が弱くなるように形成されている。
【００６３】
また、第一実施形態及び第二実施形態では、弱シール部６は、フィルム４への当接面が凹凸形状である内側部分１０２を備えたヒートシールバーを用いて形成する場合について説明したが、これに限られず、例えば、フィルム４の弱シール部６を形成するための領域に、例えば網目状に印刷や剥離剤等を設けて、ヒートシールして弱シール部６を形成する場合であってもよい。印刷等を設けてヒートシールすると、印刷等が設けられている部分についてはヒートシールされないので、その分だけシール面積が小さくなり、剥離強度が弱い弱シール部６が形成されることとなる。この場合、当接面が平坦面状のヒートシールバーを用いることができる。
【００６４】
更に、ヒートシールする際の温度を調節して弱シール部６を形成する場合であってもよい。具体的には、外縁シール部５を形成する際の温度よりも低い温度で弱シール部６を形成する。
【００６５】
また更に、ヒートシールする回数を調節して弱シール部６を形成する場合であってもよい。通常、ヒートシールする際には、フィルム４のヒートシールする部分をヒートシールバーにて複数回挟み込んで行うが、弱シール部６を形成する際に、ヒートシールバーにてフィルム４を挟み込む回数を少なくすることで、弱シール部６の剥離強度が弱くすることができる。
【００６６】
また、第一実施形態では、弱シール部６は、第一シール部６１と第二シール部６２と第三シール部６３とを一体として形成した略コの字状の形状である場合について説明したが、これに限られず、例えば、第一シール部６１と第二シール部６２とを一体とした弱シール部６を左右に一対形成した場合や、第二シール部６２と第三シール部６３とを一体とした弱シール部６を形成した場合であってもよい。しかしながら、少なくとも弱シール部６として第二シール部６２が形成されていることが好ましい。即ち、輸液バッグ包装袋３に輸液バッグＸを収納する前に、少なくとも外縁シール部５で囲まれる領域の底部の角部、言い換えると、輸液バッグ包装袋３に輸液バッグＸを収納する前に、外縁シール部５で囲まれる領域のうち、少なくとも収納口７と対向する側の角部に弱シール部６が形成されているものがよい。特に、第二シール部６２から第三シール部６３に亘る部分がピンホール防止として有効である。尚、第一シール部６１と第二シール部６２と第三シール部６３とを一体とはせず、それぞれ独立して形成した場合であってもよい。また、弱シール部６は、リング状や円形状となるように形成された場合や、外縁シール部５の内縁５ａから離間して形成された場合、外縁シール部５の幅よりも幅広又は幅狭に形成された場合であってもよい。
【００６７】
また、第二実施形態では、弱シール部６は、封止用シール部８とバッグ本体Ｘ１との間の領域であって口栓Ｘ２の左右両側に一対形成され、更に、側縁シール部５１とバッグ本体Ｘ１との間の領域に形成されている場合について説明したが、これに限られず、例えば、弱シール部６が、封止用シール部８とバッグ本体Ｘ１との間の領域であって口栓Ｘ２の左右両側に一対形成され、更に、底縁シール部５３とバッグ本体Ｘ１との間の領域に形成されている場合であってもよい。何れにしても、袋材１２に輸液バッグＸを収納した後に、弱シール部６が、少なくとも封止用シール部８と輸液バッグＸ１との間の領域であって、バッグ本体Ｘ１の一端縁から突出した部分の両側に形成されていればよく、これにより収納された輸液バッグＸの上下左右方向の動きを抑制することができる。
【００６８】
また、第一実施形態に係る輸液バッグ包装体の製造方法においては、弱シール部６は、外縁シール部５と同時に形成される場合について説明したが、外縁シール部５を形成した後に弱シール部６を形成する場合であってもよく、また、弱シール部６を形成した後に外縁シール部５を形成する場合であってもよい。
【００６９】
更に、第二実施形態に係る輸液バッグ包装体の製造方法においては、弱シール部６は、封止用シール部８と同時に形成される場合について説明したが、弱シール部６を形成した後に封止用シール部８を形成する場合であってもよく、また、封止用シール部８を形成した後に弱シール部６を形成する場合であってもよい。
【００７０】
また、第一実施形態では、外縁シール部５は、側縁シール部５１と傾斜シール部５２と底縁シール部５３とがそれぞれ一定幅の帯状で直線状に形成され、各シール部５１，５２，５３を連続的に一体として形成した場合について説明したが、これに限られず、例えば、連続的に曲線状に形成した場合であってもよい。具体的には、左右両側縁シール部５１を直線状の形状となるように形成し、左右両側縁シール部５１の下端同士を連続的に結ぶように円弧状の円弧シール部を形成して、略Ｕ字状の外縁シール部５を形成した場合であってもよい。或いは、半円状の形状となるように外縁シール部５を形成した場合であってもよい。また、例えば、側縁シール部５１の幅を、傾斜シール部５２や底縁シール部５３の幅よりも幅広又は幅狭となるように形成した場合であってもよい。何れにしても、外縁シール部５は、袋体２内部の気密性を維持でき、輸液バッグＸを収納するための収納口７が形成されるように連続的に形成されていればよい。
【００７１】
また更に、第二実施形態では、弱シール部６は、略円形状となるように形成された場合について説明したが、これに限られず、例えば、リング状、矩形状、多角形状、曲線状の帯状等である場合であってもよい。
【００７２】
尚、第一実施形態及び第二実施形態では、袋体２を形成するフィルム４が、上下方向に長い略長方形状である場合について説明したが、これに限られず、例えば、楕円形状、円形状、五角形や六角形等の多角形状、三角形状等である場合であってもよい。
【００７３】
また、第一実施形態及び第二実施形態では、収納口７は、収納口７をヒートシールして封止用シール部８を形成して封止する場合について説明したが、これに限られず、例えば、収納口７に開閉自在のチャックを設けた場合であってもよい。また、封止用シール部８をフィルム４の頂縁４２から離間して形成した場合や、外縁シール部５よりも幅広又は幅狭となるように形成した場合であってもよい。何れにしても、袋体２内部の気密性が維持できるような構成であればよい。
【図面の簡単な説明】
【００７４】
【図１】本発明の第一実施形態に係る輸液バッグ包装体１を示す正面図。
【図２】本発明の第一実施形態に係る輸液バッグ包装袋３を示す正面図。
【図３】同輸液バッグ包装袋３に収納される輸液バッグＸの正面図。
【図４】本発明の第一実施形態に係る輸液バッグ包装体１の製造方法を示す概略図。
【図５】図５のＰ-Ｐ線断面図。
【図６】本発明の第二実施形態に係る輸液バッグ包装体１を示す正面図。
【図７】本発明の第二実施形態に係る袋材１２を示す正面図。
【図８】他の実施形態に係る輸液バッグ包装袋３を示す部分斜視図。
【符号の説明】
【００７５】
１…輸液バッグ包装体、２…袋体、３…輸液バッグ包装袋、４…フィルム、５…外縁シール部、６…弱シール部、７…収納口、８…封止用シール部、９…フィルム帯、１０…ヒートシールバー、１１…ヒートシールバー、１２…袋材、１３…第一弱シール部、１４…第二弱シール部、５１…側縁シール部、５２…傾斜シール部、５３…底縁シール部、６１…第一シール部、６２…第二シール部、６３…第三シール部、９１…ロール、Ｌ…裁断線、Ｎ…ノッチ、Ｘ…輸液バッグ
【図１】
2007082604.tif 000003
【図２】
2007082604.tif 000004
【図３】
2007082604.tif 000005
【図４】
2007082604.tif 000006
【図５】
2007082604.tif 000007
【図６】
2007082604.tif 000008
【図７】
2007082604.tif 000009
【図８】
2007082604.tif 000010